(57)【特許請求の範囲】
【請求項１】
医療容器（３）を収容するための複数の開口（２）を設けた発泡プラスチック材料からなる剛性キャリヤープレート（１）から構成される、医療容器を搬送するための装置において、前記開口が前記医療容器の対応断面に適合したそれぞれの開放断面を有し、前記キャリヤープレート（１）が所定の厚さを有し、それにより前記開口内に収容した時に前記医療容器（３）が前記開口（２）内でクランプされ、保持固定され、中心配置され、それで搬送時、かき傷跡が前記医療容器（３）に生じないことを特徴とする医療容器を搬送するための装置。
【請求項２】
前記発泡プラスチック材料が発泡ポリプロピレン及び発泡ポリエステルから成る群から選択されることを特徴とする請求項１に記載の装置。
【請求項３】
前記キャリヤープレート（１）は少なくとも１枚の粒子孔が封鎖された表面を有することを特徴とする請求項１又は請求項２に記載の装置。
【請求項４】
前記キャリヤープレート（１）は補強要素（３０）を有することを特徴とする請求項２又は請求項３に記載の装置。
【請求項５】
前記キャリヤープレート（１）には補強用のリブ構造物（３０）が設けられていることを特徴とする請求項１又は請求項２に記載の装置。
【請求項６】
前記開口（２）は複数列（Ｒ）で配置され、その隣接列（Ｒ，Ｒ’）が開口間で１／２個の距離だけ互いにずれていることを特徴とする請求項１に記載の装置。
【請求項７】
前記開口（２）は前記キャリヤープレート（１）を介する貫通円錐通路であり、前記貫通円錐通路がキャリヤープレート（１）の片面側あるいはその反対面側が最も細くなるように先細になっていることを特徴とする請求項１に記載の装置。
【請求項８】
前記キャリヤープレート（１）から突き出るカラー（１ａ）が前記開口（２）の各々の周囲に形成されることを特徴とする請求項１に記載の装置。
【請求項９】
２つの半径方向内側に延びる環状絞り部分（１ｂ，１ｃ）が各前記開口（２）内に互いに軸方向に離間して配置されることを特徴とする請求項１に記載の装置。
【請求項１０】
前記医療容器が前記開口（２）に収容された場合に、前記医療容器（３）の３点支持を行なうために、前記キャリヤープレート（１）には前記開口（２）の各々に、開口の中心軸方向に見て、異なった位置で３つのエッジ要素がそれぞれ設けられることを特徴とする請求項１に記載の装置。
【請求項１１】
前記キャリヤープレート（１）には、前記医療容器（３）が収容不可能な程度の大きさで前記キャリヤープレート（１）の流動抵抗を減らすように形成された貫通開口（２０）が設けられることを特徴とする請求項１に記載の装置。
【請求項１２】
前記キャリヤープレート（１）は段状又は階段状となっていて、容器端は垂直方向に種々の高さにあることを特徴とする請求項１に記載の装置。
【請求項１３】
前記キャリヤープレート（１）は一体プレートであることを特徴とする請求項１に記載の装置。
【請求項１４】
前記キャリヤープレート（１）は多層プレートであることを特徴とする請求項１に記載の装置。
【請求項１５】
前記それぞれの開放断面は前記医療容器の前記対応断面に一致するように適合され、前記所定の厚さは、前記医療容器（３）が前記開口に収容された場合に前記開口内で振動せずに保持固定される厚さであることを特徴とする請求項１に記載の装置。
【発明の詳細な説明】
【０００１】
【発明の属する技術分野】
本発明は、それぞれの医療容器を収容する複数の開口を備えたプラスチック製のキャリヤー部材からなる医療容器用搬送装置に関する。
【０００２】
【従来の技術】
医療容器、特に、アンプル、フラスコ、ボトル、射出成形アンプル、ガラスシリンダー、注射器本体、ガラスあるいはプラスチック製充填注射器（完成注射器）及びカプセル等のための医学的に有効な成分を入れる手段は、公知であり、市販されている。
これらの医療容器は、普通、円形断面である。しかしながら、これらの容器が多角形断面を有することもある。
これらのタイプの容器は、通常、ガラス及び／又はプラスチック加工工場で製造され、その後、医療容器を充填する医薬プラントに搬送される。洗浄、滅菌、パッキング（詰め込み）、搬送、シリコーン処理、包装等の一連の処理工程が医療容器製造や、それらの充填に必要である。
【０００３】
これらのタイプの医療容器の搬送や保管には、注射器、注射器本体、円筒アンプルに詰めたり空けたりする際等に生じる特殊な問題がある。これらの本質的な理由はこれらの医療容器が大量生産品であるということである。これら容器が大量生産される限り、個々には作製されず処理される。その代わり、それら容器は、順序立ったバッチで自動的あるいは機械的にしか処理されず、及び／又は経済的理由からいわゆるトレーに収納される。
【０００４】
多くの適当な装置の実施形態が公知である。ＤＥ４２４３７８６Ａ１は、特に管、例えば、ガラス、プラスチック製等の注射器、完成注射器等の円筒管等の物品を搬送する装置を開示している。これらの装置には、その外縁に沿って連続して互いに離間した、個々の物品用の開放差し込み口を複数備えた円周キャリヤーがある。これらの個々の物品はそのキャリヤー内の差し込み口で支持され、そこから取り外される。各差し込み口又は差し込み口対は、それぞれの物品をその中でクランプあるいは支持できるクランプ装置で構成されている。
ＥＰ０７９００６３Ａ１は、注射器本体を垂直に保持するための複数のクリップ状クランプ装置を有するフレームあるいはハウジングモジュールを開示している。
ＤＥ４０２１８３６Ｃ１は、支持及びロック又は固定プレート等の一連の複雑な金属部品から成る、注射器シリンダーを処理するための装置を記載している。双方のプレートは、互いに整合された注射器シリンダーを保持するためのそれぞれのプレート内に貫通開口を互いに配置している。
【０００５】
同様の装置がＤＥ３６１３４８９Ｃ２に記載されている。
上記搬送装置は重大な欠点がある。これらの装置はまた、一つには、圧倒的に使用される金属材料がプラスチック本体を容易に傷つけることになるため、ガラス及びプラスチック容器にも他の改良がなければ適当ではない。更に、それらの装置は高コスト、大きな重さ等のために使い捨てには適しておらず、クリーンルームでの使用の前に面倒で高価なクリーニングプロセスにかける必要がある。滅菌状態で供給される必要がある完成注射器の充填時に、空の容器が上記搬送装置で充填機内に導入される。充填のために、すなわち、注射器に充填用管を挿入するために、そして続いて流体が入れられた注射器に充填用管を挿入するために、その充填用管を特定の工程で幾何学的に高精度に整合しなければならない。それはハウジングがこの整合時で確実に保持されないからである。この整合は、充填用管が注射器本体より少しだけ細い直径が好ましいため、注射器内にピストン（押し込みプラグ）を配置するのに特に重要である。
【０００６】
ガラス注射器として特に設計され、フィンガーサポート（指支え）を有するガラス注射器にだけ適した櫛状ホルダーがＷＯ９４／１４４８４に記載されている。これらの注射器は、このホルダーの中心位置になく、それらのフィンガーサポートから自由に懸架されている。
フィンガーサポートに懸架されたガラス注射器を、当技術水準ＨＹＰＡＫ（商標）ＳＣＦ（商標）システムでゆるく保持するプラスチックの孔開きプレートが上記ＥＰ０７９００６３Ａ１に記載されている。特定の心出し（中心配置）プロセスがこのシステムに必要である。
さらに、これらのフィンガーサポートから自由に懸架されるガラス注射器用のこれらホルダーの欠点は、そのフィンガーサポートに対する注射器の配置が搬送時に変化することである。この注射器本体は搬送時、ゆるく固定されているために非常に容易に振動する。従って、注射器本体は容易に汚染される。さらに、搬送時に強力な振動で汚染粒子が注射器から擦り取られ、注射器本体内に運ばれる。最後に完全に充填されたホルダーはある変形があり、これが充填プロセスに不都合となる。
【０００７】
【発明が解決しようとする課題】
本発明の目的は、非常に単純な方法で製造可能であり、汎用的に使用可能で、確実な振動防止がされ及び又はがたつきが無い、容器の保持、搬送を保証する上記タイプの医療容器用搬送装置を提供することである。
【０００８】
【課題を解決するための手段】
本発明によれば、医療容器を搬送するための装置は、医療容器を収容するための複数の開口を設けた発泡プラスチック材料からなる剛性キャリヤープレートを備えている。これらの開口は医療容器の対応断面に適合したそれぞれの開放断面を有し、キャリヤープレートが所定の厚さを有し、それにより開口内に収容した時に医療容器が開口内でクランプされ、保持固定され、中心配置され、それで搬送時、かき傷跡が医療容器に生じない。
開口内での容器のクランプは搬送時、振動したりがたつきが生じないものである。本発明のその態様のために、すなわち容器が静電荷を持たず粒子が無いままであり、そして搬送時に容器が挿入された位置にあるため、搬送時にこの容器に静電荷が生じない。これは特に後続の処理を行なうために有利である。特に。容器の後続心出し工程が例えば充填時に不要であり、それにより充填工程が搬送装置内で行なわれることができる。
【０００９】
本発明の好ましい実施形態においては、キャリヤープレートが剛性プラスチック材料製であり、そのため開口への容器の挿入時や開口からの容器の引き出し時に容器壁にかき傷跡が生じない。
好ましい実施形態によれば、キャリヤープレートが発泡材料製、好ましくは発泡ポリプロピレン（ＰＰ）あるいは発泡ポリエステル（ＰＥＴ）製である。この方法で製造されたキャリヤープレートは経済的である。このキャリヤープレートは再利用可能な使い捨て品でよく、高価で面倒なクリーニングが省ける。発泡キャリヤープレートはすでにかなりの剛性があるが、大型の場合、補強あるいは強化要素又はリブ構造物を有することができる。
キャリヤープレートは少なくとも１枚の粒子孔が表面にない表面を有するのが好ましい。容器を備えたキャリヤープレートが粒子孔が表面にない表面であれば、キャリヤープレートはオートクレーブで滅菌可能である。
医療容器を搬送するための装置の好ましい実施形態においては、開口がキャリヤープレートに複数列で配置される。高密度を得るために、その隣接列が隣接列の１列の隣接開口間で１／２個の距離だけ互いにずらされる。
【００１０】
容器をキャリヤープレートに特に確実に安定してクランプするために、多数の異なった好ましい実施形態が考えられる。
特に、キャリヤープレート内への容器の安定した載置は、開口がキャリヤープレートを介する貫通円錐通路であり、その貫通円錐通路がキャリヤープレートの片面側あるいはその反対面側が最も細くなるように先細になっている場合に得られる。
また、キャリヤープレートから突き出るそれぞれのカラーが対応する開口の周囲に形成される。注射器のフィンガーサポート等の容器の部品はそのカラーに載せることができる。
その他の実施形態においては、２つの半径方向内側に延びる環状絞り部分が各開口内に互いに軸方向に離間して配置される。これらの絞り部分は開口内に挿入される容器を係止し保持する。
【００１１】
医療容器が開口に収容された場合に、医療容器の３点支持を行なうために、キャリヤープレートには開口の各々に異なった高さで３つのエッジ要素がそれぞれ設けられる他の実施形態を提供することも考えられる。これにより自己心出し作用が改善され、また容器の一部の熱的遮断が防止される。これは滅菌手続に有用である。
容器を開口内に確実に安定して固定することは、ちりやその他の粒子を引き付ける静電荷が、容器とキャリヤープレート（の収容部）間の相対運動により容器に発生しないという利点がある。
さらに、容器を確実に静止固定させることは、搬送時に避けられない振動やがたつきによって生じる、マガジン全体を密閉する密閉箔の損傷又は貫通を防止する。従って、脱滅菌が確実に防止される。医療容器を搬送するための公知の装置ではこの脱滅菌を防止するため、二次的な発泡体あるいは箔が使用されているが、本発明に係るキャリヤープレート構造では今や不要である。
【００１２】
搬送又はキャリヤープレートは、無振動及び／又は無がたつきの容器搬送を保証する限り、容器を直接充填することに使用可能である。一方、従来の方法では、収容部から個々のあるいはグループになった容器を持ち上げ、充填前に容易ではない容器心出し及び整合を実施する。本発明に係るキャリヤープレートを使用すれば、これら後者の工程が省略され、有利である。従来例に比較してかなりの高充填処理量を得ることができる。
本発明の目的、特徴、及び利点を、添付図面を参照して以下の好ましい実施形態によりさらに詳細に説明する。
【００１３】
【発明の実施の形態】
医療容器３を搬送するための本発明に係る装置は、文献「Ｎｅｗ  Ｐａｃｋｉｎｇ」のＴｏｋｙｏ  Ｐａｃｋｉｎｇ１９９２年のレポート（１９９年、１２月）３２頁〜３８頁に記載されたような発泡プラスチック、好ましくは発泡ポリプロピレン（ＰＰ）、発泡ポリエステル（ＰＥＴ）あるいはこれに類したプラスチック材料から成る一体の剛性長方形キャリヤープレート１で構成されている。
このキャリヤープレート１の寸法は、搬送時にキャリヤープレートを保持するユニットに適合し又はそのユニットで決定される。従来例の長方形キャリヤープレートは、通常、厚さが約１〜２ｃｍで、約２０ｃｍ×２５ｃｍの寸法である。厚さが１〜２ｃｍで、１００×１００ｃｍの寸法の大キャリヤーは多数の容器を処理するために使用されている。
【００１４】
複数の円形又は長方形又は正方形の開口２が、医療容器３（図２）を収容するためにキャリヤープレート１に数列設けられており、図１に１つの列Ｒのみを完全に示してある。図１に示したキャリヤープレート１の実施形態には、円筒容器壁を備えた容器３用の円形貫通開口２が設けられている。これらの貫通開口２はキャリヤープレート１の製造時にはこの目的のために形成される。しかしながら、これら開口は、このキャリヤープレートを最初に製造した後、適当な多孔ボーリングモジュールで原則的に孔開けされる。
容器断面が円形でなく、例えば三角形であれば、この開口２はそれに対応した断面である必要がある。
キャリヤープレート１は粒子孔（細胞孔）が表面にない表面を有するように形成することが好ましい。この場合、孔はその後に行なわれる発泡プラスチックキャリヤープレート１の表面処理で作成される。
【００１５】
貫通開口２の直径は容器３の直径に対応するように選択され、それで各容器３がクランプされ、保持固定され、そして各開口２で中心に配置される。従って、本発明に係る搬送プレート１は、それらの特徴により、容器３とキャリヤープレート１間の相対的軸方向運動が防止され、そのため脆いプラスチック材料製の容器等のかき傷が付き易い容器に適している。
本発明に係るキャリヤープレート１は、そのプレートが粒子孔（細胞孔）が封鎖された面を有する場合、つまり空の容器又は充填された容器を備えたまま有利にオートクレーブ処理がなされ、それによりこの滅菌工程には容器の取りはずしが不要である。
図２Ａは、上方のフィンガーサポート４を有する注射器本体のような形状の容器３をキャリヤープレート１に収容した状態を示している。キャリヤープレート１は貫通開口２の周囲に円周カラー１ｄを備え、そのカラー上にフィンガーサポート４が少し高く載せられている。この貫通開口２は円筒形である。
【００１６】
注射器のフィンガーサポート４がキャリヤープレート１周囲の開口２から突き出るようにする図２Ｂ及び図２Ｃの場合、また注射器のフィンガーサポート４がキャリヤープレート１の上面と同じ高さとする図３Ａ及び図３Ｂの場合に、貫通開口２は円錐形であり、それにより挿入容器３がしっかり固定され中心配置されている。従って、容器の寸法公差がキャリヤープレート１内の開口又は孔２の設計によって補償される。
開口２の円錐内面は、図２Ｂ及び図３Ａのように下向きに、あるいは図２Ｃ及び図３Ｂのように上向きに細くなるように先細になっている。
図２Ａないし図２Ｅ及び図３Ａないし図３Ｄは、容器３の貫通開口２の近傍のキャリヤープレート１の種々の実施形態の断面図を示している。
容器３は図２Ｄ及び図３Ｃに示したようにキャリヤープレート１の貫通開口２内で保持クランプされている。この図２Ｄ及び図３Ｃに示した実施形態の容器３は、キャリヤープレート１の環状絞り部あるいは半径方向内側に延びる部分１ａで保持固定される。これらの絞り部分１ａはキャリヤープレート１内に示された開口２内に形成される。これらの環状絞り部分１ａは、開口２の最小内径が容器３の外径より小さいように形成される。
【００１７】
図２Ｅ及び図３Ｄに係る実施形態においては、キャリヤープレート１の２つの軸方向に離間した半径方向内側に突き出た円周環状絞り部分１ｂ及び１ｃが開口２内に形成されている。それらの部分は貫通開口２内でさらに確実に容器３を固定し保持する。
本発明に係るキャリヤープレート１の特殊な実施形態では、貫通開口２が容器３のガイドとクランプが３カ所のエッジ（先端部）で生じるように形成され、これにより自己中心配置（心出し）効果が改良され、キャリヤープレート材料によって容器の一部分の断熱を防止する。これらのエッジは開口の中心軸方向で見て、違った位置にあるのが好ましい。
その他の特殊な実施形態では、キャリヤープレート１が不活性ガス（例えば窒素、二酸化炭素、アルゴン）で発泡された発泡プラスチック材料製である。これはエネルギー放射線（ガンマ線あるいは電子線）によって滅菌時にオゾンガスの形成が防止される。
【００１８】
本発明の一つの実施形態によれば、発泡プラスチック材料製のキャリヤープレートが補強要素３０を含有している。
別の実施形態では、キャリヤープレート１がリブ構造３０あるいはその強化のため形状を有する。
キャリヤープレート１が流出抵抗を減らすための別の複数の孔及び／又は開口２０を備えることが好ましく、このことはクリーンルームでの作業やオートクレーブ処理において重要である。
キャリヤープレート１は必ずしも発泡プラスチックプレートである必要がないが、これが好ましい実施形態である。キャリヤープレート１を射出成形することも可能である。キャリヤープレートが射出成形されると、孔又は開口は発泡プラスチック材料のカバーで被覆される。
本発明に係るキャリヤープレート１は容器３を製造あるいは充填するために最も異なった処理方法で使用されることができる。キャリヤープレート１は、空のあるいは充填された容器３用の搬送ユニットとして大桶状容器内のインサートとして使用できる。
【００１９】
特殊な実施形態では、キャリープレート１は、段状又は階段状となっていて、容器端は垂直方向に種々の高さにあり、それにより大きなフィンガーサポートを有する注射器は隣接フィンガーサポートと接触しない。
一体キャリヤープレート１が図１ないし図３に示されている。別の実施形態においては、キャリヤープレート１が幾つかの層、例えば少なくとも１つのＰＥ層及びＰＰ又はＰＥＴ製の発泡層から成る。保持装置は発泡層で形成され、ＰＥ層はキャリヤープレート１の剛性を改善するために設けられる。ＰＥ層の代わりに、その他のプラスチック層、例えばポリスチレン（ＰＳ）又はポリプロピレン（ＰＰ）等の層を使用することができる。
【００２０】
図４は、互いにずれた又はジグザグ配置の幾つかの列の孔を有して、非常に高密度が、特別に形成した放物線状フィンガーサポート４を有する注射器の場合に得られるキャリヤープレート１の実施形態を示す。この実施形態は注射器本体を製造し充填するために特に経済的であり、従ってコストが削減される。
図２Ａないし図４は本発明の幾つかの実施形態を示し、この実施形態では、インジェクター本体又は注射器本体として形成された容器３がキャリヤープレート１でそのフィンガーサポート（把持部材）４で懸架クランプされる。図５及び図６は、フラスコ又はボトルの形態の容器を収容するためのキャリヤープレート１の実施形態を示している。
【００２１】
図５Ａは上向きに立っているボトル３を示し、このボトル３はそのクロージャー端部３ａに周囲リップ３ａがあるものであり、キャリヤープレート１内で保持されている。キャリヤープレート１の貫通開口２は、ボトル底を把持し、保持するための対応肩部１ｅを有する。
図５Ｂはキャリヤープレート１の他の実施形態で保持され、その周囲リップ３ａが貫通開口２内の肩部１ｆによってキャリヤープレート１の上面と高さが同じに保持される同様のボトルを示している。このボトルの上円筒部分は開口又は孔２の円筒部分で形状ロック方法でも保持される。ボトル３は、周囲リップ３ｅが肩部１ｆでロックされるまで、図５Ｂに係る保持装置内にキャリヤープレート１の開口又は孔２の下から挿入される。その後、ボトル３は、開口２の円筒部分１ｇによるガイドにより当然傾斜せずにこの肩部１ｆで懸架される。
幾分細長いボトル３が図５Ｃに示されたキャリヤープレート１の円錐貫通開口２に保持クランプされる。この保持装置は図２Ｃに示した注射器本体３の場合の保持装置と同様である。
図５Ｄに示された細長いボトル３の保持装置は、周囲リップ３ａが肩部１ｆにかかった図５Ｂに示した形状保持装置と同様である。
【００２２】
図６Ａないし図６Ｄは、本発明に係るキャリヤープレート１の開口２内のボトル３用の保持装置に関するその他の４つの実施形態を示す。貫通開口２はボトルの外径に一致する内径を有する。これらの保持装置は、開口２に形成された幾つかの、好ましくは３個の可撓性リップ要素１ｈを備えている。
図６Ａ及び図６Ｂによれば、リップ１ｈが周囲リップ３ａの後方部分にかかる迄、容器は貫通開口２の上方から挿入される。
図６Ｄは、短くて太いボトル３である以外は図６Ｂと同様の保持装置、すなわち、ボトル３が周囲リップ３ａの後方部分にリップで、また開口２内で保持されたボトルカバーで保持クランプされた保持装置を示している。図６Ｃは同様のボトル３の上部保持装置を示す。
【００２３】
【発明の効果】
本発明は医療容器用、特に、医療用物質の容器用であってそれらの断面に無関係な汎用搬送装置を提供し、以下の有利な特性を有する。すなわち、
‐単純で、部品が少ないこと；
‐突き出た部分（例えば、完成注射器に付いているフィンガーサポート）に関係がない容器、すなわち、突き出た部分を持たない円筒アンプル、アンプル、フラスコ、ガラスシリンダーに適した容器が固定され、中心配置（心出し）されること；
‐移動部品が無いこと；
‐製造が経済的であること；
‐使い捨てに適していること；
‐例えば、エネルギー放射線、酸化エチレン等の滅菌用ガス、あるいはオートクレーブ処理（１２１℃蒸気）により滅菌が可能であること；
‐同時搬送で保護されること：
‐凍結乾燥可能であること。
【００２４】
医療容器の搬送装置に具体化したように本発明を例示し、説明したが、本発明の趣旨から何ら逸脱せずに種々の改良と変形が実施できるため、本発明はその詳細な説明に限定されるものではない。
これ以上の分析が無くても、前述の説明は本発明の要旨を十分に示しているため、先行技術の観点からこの発明の一般的あるいは特殊な態様の本来の特徴をかなり構成する特徴を省略せずに、現在の知識を応用することによって他人がこの発明を種々の用途に容易に適合させることが可能である。
請求内容は新規であり、特許請求の範囲に示す。
【図面の簡単な説明】
【図１】  医療容器の一括搬送のための本発明に係るキャリヤープレートの基本構造の概略斜視図である。
【図２】  Ａ、Ｂ、Ｃ、Ｄ、及びＥは、本発明のキャリヤープレート５つの異なった実施形態のそれぞれ破断断面図であり、キャリヤープレート内に設けた貫通孔に保持されたフィンガーサポートを備えた注射器の形態の容器に対するそれぞれ異なったクランプ設置部が設けられ、そのフィンガーサポートはキャリヤープレートの上方に突き出ている。
【図３】  Ａ、Ｂ、Ｃ、及びＤは、本発明のキャリヤープレート４つの異なった実施形態のそれぞれ破断断面図であり、キャリヤープレート内に設けた貫通孔に保持されたフィンガーサポートを備えた注射器の形態の容器に対するそれぞれ異なったクランプ設置部が設けられ、そのフィンガーサポートはキャリヤープレートの面内に沈められている。
【図４】  対向側面で各々放物線外形のフィンガーサポートを有する注射器の形態の容器を備えた本発明に係るキャリヤープレートの概略上面図である。
【図５】  Ａ、Ｂ、Ｃ、及びＤは、本発明に係るキャリヤープレートに設けられた形状ロッククランプ設置部に挿入されたフラスコを示すそれぞれ破断断面図である。
【図６】  Ａ、Ｂ、Ｃ、及びＤは、本発明に係るキャリヤープレートに設けられた貫通孔のエッジに設けた成形リップを有するフラスコあるいはボトルを用の異なった保持装置のそれぞれ破断断面図である。
【符号の説明】
１…キャリヤープレート、２…開口、３…容器、２０…開口。
【図１】
0003790888.tif 000002
【図２】
0003790888.tif 000003
【図３】
0003790888.tif 000004
【図４】
0003790888.tif 000005
【図５】
0003790888.tif 000006
【図６】
0003790888.tif 000007